(57)【要約】 【構成】  床面にレールを敷くとともにこのレールに車輪を介して理・美容椅子を載置し、この椅子を前方に鏡面のある位置から移動可能にした理・美容椅子取付装置である。【効果】  理・美容椅子をレールに沿って前記鏡の位置から離れた位置に移動させることによって、理・美容椅子と鏡と間に空間を形成し、この空間に前記車椅子を収容することができるものである。店内が狭くても、従来のように、車椅子で来店した客を店の理・美容椅子に移す必要はないため、店の者の手間が軽減し、理髪店・美容院の作業能率を向上させることができる。当事者を抱き抱えられる行為は不要となるため、身体に触れられる行為に違和感を示した者も安心して来店することができる。【選択図】  図５
2006325905.tif 000002
【特許請求の範囲】
【請求項１】
床面にレールを敷くとともにこのレールに車輪を介して理・美容椅子を載置し、この椅子を前方に鏡面のある位置から移動可能にしたことを特徴とする理・美容椅子取付装置。
【請求項２】
請求項１の理・美容椅子取付装置において、前記椅子を前方の鏡面に向かって進退可能にしたことを特徴とする理・美容椅子取付装置。
【請求項３】
請求項１の理・美容椅子取付装置において、前記椅子を前方の鏡面に向かって斜め後方に進退可能にしたことを特徴とする理・美容椅子取付装置。
【請求項４】
請求項１の理・美容椅子取付装置において、前記椅子を前方の鏡面に沿って移動可能にしたことを特徴とする理・美容椅子取付装置。
【請求項５】
請求項１の理・美容椅子取付装置において、前記理・美容椅子を前記レールに載置するにあたって、前記レールに移動車体を進退可能に載置し、この車体に前記理・美容椅子を固定したことを特徴とする理・美容椅子取付装置。
【請求項６】
請求項１の理・美容椅子取付装置において、前記レールと前記車体との間に移動ロック手段を設けたことを特徴とする理・美容椅子取付装置。
【請求項７】
請求項３の理・美容椅子取付装置において、前記移動ロック手段を、前記レールに設けたロック溝と前記車体に設け前記ロック溝に出入するロック部材とから構成したことを特徴とする理・美容椅子取付装置。
【発明の詳細な説明】
【技術分野】
【０００１】
この発明は理・美容椅子（理髪店用椅子及び美容院用椅子、以下同じ）取付装置に関し、理髪店又は美容院に設置され、車椅子で来店した身体の不自由な客に対して使用されるものである。
【背景技術】
【０００２】
従来、理髪店や美容院では、床面に理・美容椅子が固定され、その前方の壁面に鏡が垂直に設置されていた。そして、身体の不自由な人が車椅子で来店した場合、店の人が車椅子から抱き揚げて、店の理・美容椅子に移して散髪や髪切りをしていた。
【０００３】
【特許文献１】特開平８−５６７６９号公報
【発明の開示】
【発明が解決しようとする課題】
【０００４】
しかしながら、従来の理髪店や美容院にあっては店内が狭くて、車椅子が前記理・美容椅子に近づきにくくいため、店の人にとっては、車椅子から店の理・美容椅子に移すにあたって手間がかかり、ひいては、理髪店・美容院の作業能率を向上させにくいという不都合を有した。
【０００５】
また、当事者にとって抱き抱えられる行為は、直接身体に触れられる行為であるため、違和感を示す者も存在し、これらの者にとって理髪店や美容院に行く機会を得にくいという不都合を有した。
【０００６】
この発明の課題はこれらの不都合を解消することである。
【課題を解決するための手段】
【０００７】
この課題を達成するために、この発明に係る理・美容椅子取付装置においては、床面にレールを敷くとともにこのレールに車輪を介して理・美容椅子を載置し、この椅子を前方に鏡面のある位置から移動可能にしたものである。
【０００８】
この場合、前記椅子を前方の鏡面に向かって進退可能にすることもできる。
【０００９】
また、前記椅子を前方の鏡面に向かって斜め後方に進退可能にすることもできる。
【００１０】
また、前記椅子を前方の鏡面に沿って移動可能にすることもできる。
【００１１】
なお、前記理・美容椅子を前記レールに載置するにあたって、前記レールに移動車体を進退可能に載置し、この車体に前記理・美容椅子を固定することもできる。
【００１２】
また、前記レールと前記車体との間に移動ロック手段を設けることもできる。
【００１３】
また、この移動ロック手段を、前記レールに設けたロック溝と前記車体に設け前記ロック溝に出入するロック部材とから構成することもできる。
【発明の効果】
【００１４】
この発明に係る理・美容椅子取付装置は上記のように構成されているため、理・美容椅子をレールに沿って前記鏡の位置から離れた位置に移動させることによって、理・美容椅子と鏡と間に空間を形成し、この空間に前記車椅子を収容することができるものである。
【００１５】
よって、この理・美容椅子取付装置を使用すれば、店内が狭くても、従来のように、車椅子で来店した客を店の理・美容椅子に移す必要はないため、店の者の手間が軽減し、ひいては、理髪店・美容院の作業能率を向上させることができる。
【００１６】
さらに、従来のように、当事者を抱き抱えられる行為は不要となるため、身体に触れられる行為に違和感を示した者も、安心して来店することができ、これらの者にとって理髪店や美容院に行きやすくなるものである。
【００１７】
この場合、前記椅子を前方の鏡面に向かって進退可能にすれば、鏡面に向かって前後歩行に空間のとれる理・美容院にに設置するに適している。
【００１８】
また、前記椅子を前方の鏡面に向かって斜め後方に進退可能にすれば、鏡面に向かって斜め後方に空間のとれる理・美容院に設置するに適している。
【００１９】
また、前記椅子を前方の鏡面に沿って移動可能にすれば、鏡面に沿って空間のとれる理・美容院に設置するに適している。
【００２０】
なお、前記理・美容椅子を前記レールに載置するにあたって、前記レールに移動車体を進退可能に載置し、この車体に前記理・美容椅子を固定すれば、従来存在する理・美容椅子をそのまま使用することができるため、低コストで当該装置を設置することができる。
【００２１】
また、前記レールと前記車体との間に移動ロック手段を設ければ、前記レールに沿って進退する理・美容椅子を特定の位置でその移動をロックすることができる。
【００２２】
なお、この移動ロック手段を、前記レールに設けたロック溝と前記車体に設け前記ロック溝に出入するロック部材とから構成すれば、簡単な構成になるため、低コストで設けることができる。
【発明を実施するための最良の形態】
【００２３】
床面にレールを敷くとともにこのレールに車輪を介して理・美容椅子を載置し、この椅子を前記鏡の位置から離れた位置に移動させることによって、理・美容椅子と鏡と間に空間を形成し、この空間に前記車椅子を収容することができるものである。
【実施例１】
【００２４】
以下、この発明の実施例を説明する。
図１はこの発明に係る理容椅子取付装置の正面図、図２は同平面図、図３は図１におけるIII 部拡大断面図、図４は図III におけるIV-IV 線断面図、図５は理容椅子が移動した状態の図１に相当する図である。
【００２５】
図１および図２において、Ｆは理髪店の床、Ｃはその壁面Ｗの棚、Ｍはこの棚Ｃの奥に設置された鏡である。
【００２６】
10,10 は取付金具であり、前記床Ｃ面にアンカーボルト101,101,…等によって固定されている。この取付金具10,10 は前記鏡Ｍの面と略平行に位置している。11,11 はレールであり、前記取付金具10,10 の両端に溶接されている。これらのレール11,11 は互いに平行に配置され、前記鏡Ｍの面に向かっている。そして、このレール11の横断面は三角形状に尖っている（図４を参照のこと）。
【００２７】
なお、12,12 はストッパーであり、前記レール11,11 の両端に溶接されている。このストッパー12,12 は後記車輪23,23 …の移動を停止させるためのものである。また、13および14はロック溝であり、前記レール11の頂部に形成されている。このロック溝13は、後記車体（理容椅子30）20を定位置の状態でロックするためのものであり、同14は同車体（理容椅子30）20を後退させた状態でロックするためのものである。
【００２８】
20は車体であり、前記レール11,11 に進退可能に載置されている。30は理容椅子（この発明の「理・美容椅子」に相当する）であり、前記車体20に載置された状態で、その台部31をボルト・ナット等（図示せず）により固定している。この理容椅子30は、前記鏡Ｍの面にその正面が向いており、レール11,11 に沿って進退する。なお、32は座部、33は背もたれ部、34は足のせ部である。
【００２９】
次に、前記車体20について説明する。
21は前記車体20のフレーム部であり、略正方形状をしている。また、22,22,…は車輪ケースであり、前記フレーム部21の四隅に溶接されている。
【００３０】
図３および図４において、23は車輪であり、前記車輪ケース22内に軸24を介して回動可能に設置されている。この車輪23はその円周面に案内溝25を有し、この案内溝25を介して前記レール11,11 上に進退可能に載置されている。この場合、前記レール11の横断面は三角形状に尖っているため外れにくいものである。
【００３１】
26はロック部材であり、前記車輪ケース22の下面に突設されている。このロック部材26は前記ロック溝13,14 に掛け止めして、前記車体20の移動をロックする。即ち、前記ロック溝13に掛け止めして、前記車体（理容椅子30）20を定位置の状態でロックし、前記ロック溝14に掛け止めして、前記車体（理容椅子30）20を後退させた状態（図５の状態）でロックする。
【００３２】
このロックを解除する場合には、前記車体（理容椅子30）20を手で強く押して前記ロック部材26をロック溝13,14 から抜き出せばよい。
【００３３】
なお、前記ロック部材26と前記ロック溝13,14 とによって、この発明の「移動ロック手段」を構成する。
【００３４】
次に、図１および図５に基づいて、このように、構成される理容椅子取付装置の作用を説明する。
【００３５】
通常は、理容椅子30は図１の状態、即ち、鏡Ｍの面の近傍に配置されている。この場合、前記ロック部材26は前記ロック溝13に掛け止めされ、この状態はロックされている。この状態で、車椅子Ｖの客が来た場合、店の者は、前記理容椅子30を手で後方（図１において矢印方向）へ強く押して前記ロック部材26をロック溝13から抜き出し、そのまま、車輪23,23,…を介してレール11,11 上を後方へ移動させる。そして、後退した位置（図５の状態）に達したときに、前記ロック部材26は前記ロック溝14に掛け止めされ、この状態がロックされる。
【００３６】
すると、前記理容椅子30と前記鏡Ｍの面との間に広い空間Ｓが形成される。この空間Ｓに客を車椅子Ｖに載せたまま収容する。この場合、車椅子Ｖは前記鏡Ｍの面に向くように配置し、この車椅子Ｖを理容椅子30の代替として使用する。
【００３７】
散髪が終了した後は、前記空間Ｓから車椅子を移動する。そして、前記理容椅子30を手で前方へ押して前記ロック部材24をロック溝14から抜き出し、そのまま、車輪23,23,…を介してレール11,11 上を前方へ移動させる。そして、通常の位置（図１の状態）に達したときに、前記ロック部材26は前記ロック溝13に掛け止めされ、この状態がロックされる。
【００３８】
なお、図２に仮想線で示したように、レール11,11 を設置すれば、前記理容椅子30を前記鏡Ｍの面に向かって斜め後方にさせることができる。このように構成すれば、鏡Ｍの面に向かって斜め後方に空間のとれる理・美容院に設置するに適している。
【００３９】
また、図６に示すように、レール11,11 を前記鏡Ｍの面に沿って略平行に設置すれば、前記理容椅子30を前記鏡Ｍの面に沿って移動させることができる。このように構成すれば、鏡Ｍの面に沿って空間のとれる理・美容院に設置するに適している。
【産業上の利用可能性】
【００４０】
店内が狭くても、従来のように、車椅子で来店した客を店の理・美容椅子に移す必要はないため、店の者の手間が軽減し、ひいては、理髪店・美容院の作業能率を向上させることができる。
【００４１】
さらに、従来のように、当事者を抱き抱えられる行為は不要となるため、身体に触れられる行為に違和感を示した者も、安心して来店することができる。
【図面の簡単な説明】
【００４２】
【図１】図１はこの発明に係る理容椅子取付装置の正面図である。
【図２】図２は同平面図である。
【図３】図３は図１におけるIII 部拡大断面図である。
【図４】図４は図III におけるIV-IV 線断面図である。
【図５】図５は理容椅子が移動した状態の図１に相当する図である。
【図６】図６は図２に相当する他の実施例の図である。
【符号の説明】
【００４３】
Ｃ  …  壁面の棚
Ｆ  …  理髪店の床
Ｍ  …  鏡
Ｓ  …  空間
Ｖ  …  車椅子
Ｗ  …  壁面
10  …  取付金具
101 …  アンカーボルト
11  …レール
12  …ストッパー
13  …  ロック溝（移動ロック手段）
14  …  ロック溝（移動ロック手段）
20  …  車体
21  …  フレーム部
22  …  車輪ケース
23  …  車輪
24  …  軸
25  …  案内溝
26  …  ロック部材（移動ロック手段）
30  …  理容椅子（理・美容椅子）
31  …  台部
32  …  座部
33  …  背もたれ部
34  …  足のせ部
【図１】
2006325905.tif 000003
【図２】
2006325905.tif 000004
【図３】
2006325905.tif 000005
【図４】
2006325905.tif 000006
【図５】
2006325905.tif 000007
【図６】
2006325905.tif 000008